(57)【要約】【課題】ユーザーの期待する画質や解像度に近いバランスの良い画像を得る。【解決手段】画素加算モード設定画面を表示し（ステップ１００）、ユーザーが設定する最低画素数を維持しつつ画素加算することにより画質を向上させる画質優先モードか、ユーザーが設定する最低画質レベルを維持しつつ画素数がなるべく多くなるように画素加算する画素数優先モードの何れかを選択する。画質優先モードが選択された場合は、最低画素数を設定でき（ステップ１０２、１０４）、画素数優先モードが選択された場合は、最低Ｓ／Ｎレベルを設定できる（ステップ１０６、１０８）。画質優先モードが選択された場合は、最低画素数を維持しつつなるべく大きい画素加算数で画素加算を行って画質を向上させ、画素数優先モードが選択された場合は、最低Ｓ／Ｎレベルを維持できる範囲でなるべく画素加算数を少なくして画素数を多くする。【選択図】図３
2009118247.tif 000002
【特許請求の範囲】
【請求項１】
被写体からの光を光電変換する撮影素子と、
前記撮影素子を駆動する駆動手段と、
予め定めた複数の画素加算モードの中から何れかを選択するための選択手段と、
選択された画素加算モードに応じて、前記撮影素子により撮影された撮影画像の画像データの画素加算数を設定する設定手段と、
設定された画素加算数により、前記撮影画像の画像データを画素加算する画素加算手段と、
を備えた撮影装置。
【請求項２】
前記画素加算モードは、撮影画像の画質を優先させる画質優先モードを含むと共に、前記選択手段は、前記画質優先モードが選択された場合には予め定めた複数の最低画素数の中から何れかを選択する最低画素数選択手段を含み、
前記設定手段は、前記画質優先モードが選択された場合は、選択された最低画素数以上において前記画素加算数が最大となるように、前記画素加算数を設定することを特徴とする請求項１記載の撮影装置。
【請求項３】
前記画素加算モードは、撮影画像の画素数を優先させる画素数優先モードを含むと共に、前記選択手段は、前記画素数優先モードが選択された場合には予め定めた複数の最低画質レベルの中から何れかを選択する最低画質レベル選択手段を含み、
前記設定手段は、前記画素数優先モードが選択された場合は、選択された最低画質レベル以上において前記画素加算数が最大となるように、前記画素加算数を設定することを特徴とする請求項１又は請求項２記載の撮影装置。
【請求項４】
前記撮影画像の明るさが適正露出レベルに達しない場合に、前記適正露出レベルに近づくように、前記設定手段により設定された画素加算数に応じて前記撮影画像をゲイン調整することにより前記撮影画像のＩＳＯ感度を高くする調整手段をさらに備えたことを特徴とする請求項２記載の撮影装置。
【請求項５】
撮影画像の明るさが、適正露出レベルに達しない場合に、前記適正露出レベルに近づくようにゲイン調整することによりＩＳＯ感度を高くする調整手段と、
前記調整手段による調整後のＩＳＯ感度が、最高のＩＳＯ感度である場合に、調整後の撮影画像が適正露出であるか否かを判断する判断手段と、
をさらに備え、
前記設定手段は、前記判断手段により適正露出でないと判断された場合、前記画素加算数を多くすることを特徴とする請求項１〜請求項３の何れか１項に記載の撮影装置。
【請求項６】
前記撮影画像の受光量と予想Ｓ／Ｎ比との予め定めた対応関係を記憶する記憶手段をさらに備えたことを特徴とする請求項１〜請求項５の何れか１項に記載の撮影装置。
【請求項７】
前記選択手段は、同一被写体について複数の画素数の撮影画像を取得するオートブラケット撮影モードを選択可能であり、
前記オートブラケット撮影モードが選択された場合、前記画素加算手段は、前記撮影画像を予め定めた複数の画素加算数で順次画素加算して各々記録することを特徴とする請求項１〜請求項６の何れか１項に記載の撮影装置。
【請求項８】
前記撮影素子は、前記駆動手段からの指示に応じて複数の画素の信号電荷を加算して出力する画素加算機能を含み、
前記選択手段は、前記撮影素子の画素加算機能により前記複数の画素の信号電荷を画素加算する第１の加算モードと、前記画素加算手段により前記撮影画像の画像データを画素加算する第２の画素加算モードと、の何れかを選択可能であることを特徴とする請求項１〜請求項７の何れか１項に記載の撮影装置。
【発明の詳細な説明】
【技術分野】
【０００１】
本発明は、撮影装置に係り、特に、複数の画素を画素加算することが可能な撮影装置に関する。
【背景技術】
【０００２】
従来、ＣＣＤ等の撮影素子により被写体を撮影するデジタルカメラにおいて、感度の向上を図る目的や、多画素化による画質の劣化及び記録画像の画素数の肥大化を防ぐために複数の画素を加算する技術が種々提案されている。
【０００３】
例えば特許文献１には、ユーザーによる特別な設定操作無しで画素加算する技術が開示されている。
【０００４】
また、特許文献２には、画素を間引いて読み出す間引き読み出しモードと、画素を加算して読み出す画素加算モードと、を切り替え可能な技術が開示されている。
【０００５】
また、特許文献３には、撮影状況に応じて予め設定した画素数になるように画素加算する技術が開示されている。
【０００６】
また、特許文献４〜６には、手ぶれを防止するために、シャッター速度が高速側に維持されるように画素加算する技術が開示されている。
【特許文献１】特開２００１−３５９０３８号公報
【特許文献２】特開２００３−１８９１８３号公報
【特許文献３】特開２００７−１３２７０号公報
【特許文献４】特開２００６−３５２７１５号公報
【特許文献５】特開２００６−３５２７１６号公報
【特許文献６】特開２００６−３５２７１７号公報
【発明の開示】
【発明が解決しようとする課題】
【０００７】
しかしながら、上記特許文献１に記載された技術では、デフォルトで画素加算してしまうため、十分な受光量がある場合でも画素加算してしまい、無駄に解像度が低下してしまう場合がある、という問題があった。
【０００８】
また、上記特許文献２に記載された技術では、画素加算のパターンが一つしかないため、ノイズやダイナミックレンジ、解像度が適度なバランスの画像を得ることが困難である、という問題があった。
【０００９】
また、上記特許文献３に記載された技術では、露光量が少ない場合にユーザーが設定した画素数に固定的に画素加算されてしまうため、感度不足になったり、解像度不足になったり、バランスの悪い画像になってしまったりする場合がある、という問題があった。
【００１０】
また、上記特許文献４〜６に記載された技術では、画素加算により解像度が低下することについて考慮されていないため、ユーザーの想定以上に画素数が少なくなってしまう場合がある、という問題があった。
【００１１】
本発明は、上述した課題を解決するために提案されたものであり、ユーザーの期待する画質や解像度に近いバランスの良い画像を得ることができる撮影装置を提供することを目的とする。
【課題を解決するための手段】
【００１２】
上述した課題を解決するため、請求項１記載の発明は、被写体からの光を光電変換する撮影素子と、前記撮影素子を駆動する駆動手段と、予め定めた複数の画素加算モードの中から何れかを選択するための選択手段と、選択された画素加算モードに応じて、前記撮影素子により撮影された撮影画像の画像データの画素加算数を設定する設定手段と、設定された画素加算数により、前記撮影画像の画像データを画素加算する画素加算手段と、を備えたことを特徴とする。
【００１３】
この発明によれば、予め定めた複数の画素加算モードの中から何れかを選択するための選択手段を備え、選択された画素加算モードに応じて、撮影素子により撮影された撮影画像の画像データの画素加算数を設定し、設定された画素加算数により、撮影画像の画像データを画素加算するので、ユーザーの期待する画質や解像度に近いバランスの良い画像を得ることができる。
【００１４】
なお、請求項２に記載したように、前記画素加算モードは、撮影画像の画質を優先させる画質優先モードを含むと共に、前記選択手段は、前記画質優先モードが選択された場合には予め定めた複数の最低画素数の中から何れかを選択する最低画素数選択手段を含み、前記設定手段は、前記画質優先モードが選択された場合は、選択された最低画素数以上において前記画素加算数が最大となるように、前記画素加算数を設定するようにしてもよい。
【００１５】
また、請求項３に記載したように、前記画素加算モードは、撮影画像の画素数を優先させる画素数優先モードを含むと共に、前記選択手段は、前記画素数優先モードが選択された場合には予め定めた複数の最低画質レベルの中から何れかを選択する最低画質レベル選択手段を含み、前記設定手段は、前記画素数優先モードが選択された場合は、選択された最低画質レベル以上において前記画素加算数が最大となるように、前記画素加算数を設定するようにしてもよい。
【００１６】
また、請求項４に記載したように、前記撮影画像の明るさが適正露出レベルに達しない場合に、前記適正露出レベルに近づくように、前記設定手段により設定された画素加算数に応じて前記撮影画像をゲイン調整することにより前記撮影画像のＩＳＯ感度を高くする調整手段をさらに備えた構成としてもよい。
【００１７】
また、請求項５に記載したように、撮影画像の明るさが、適正露出レベルに達しない場合に、前記適正露出レベルに近づくようにゲイン調整することによりＩＳＯ感度を高くする調整手段と、前記調整手段による調整後のＩＳＯ感度が、最高のＩＳＯ感度である場合に、調整後の撮影画像が適正露出であるか否かを判断する判断手段と、をさらに備え、前記設定手段は、前記判断手段により適正露出でないと判断された場合、前記画素加算数を多くするようにしてもよい。
【００１８】
また、請求項６に記載したように、前記撮影画像の受光量と予想Ｓ／Ｎ比との予め定めた対応関係を記憶する記憶手段をさらに備えた構成としてもよい。
【００１９】
また、請求項７に記載したように、前記選択手段は、同一被写体について複数の画素数の撮影画像を取得するオートブラケット撮影モードを選択可能であり、前記オートブラケット撮影モードが選択された場合、前記画素加算手段は、前記撮影画像を予め定めた複数の画素加算数で順次画素加算して各々記録するようにしてもよい。
【００２０】
また、請求項８に記載したように、前記撮影素子は、前記駆動手段からの指示に応じて複数の画素の信号電荷を加算して出力する画素加算機能を含み、前記選択手段は、前記撮影素子の画素加算機能により前記複数の画素の信号電荷を画素加算する第１の加算モードと、前記画素加算手段により前記撮影画像の画像データを画素加算する第２の画素加算モードと、の何れかを選択可能である構成としてもよい。
【発明の効果】
【００２１】
本発明によれば、ユーザーの期待する画質や解像度に近いバランスの良い画像を得ることができる、という効果を有する。
【発明を実施するための最良の形態】
【００２２】
以下、本発明を実施するための最良の形態について、図面を参照しながら詳細に説明する。
【００２３】
（第１実施形態）
【００２４】
図１（Ａ）には、本発明に係るデジタルカメラ６０の正面図を、同図（Ｂ）にはデジタルカメラ６０の背面図を示した。同図（Ａ）に示すように、デジタルカメラ６０の上面及び正面には、撮影を指示するためのシャッターボタン６２、被写体に対してストロボ露光を行うストロボ発光部６４、被写体像を入射するレンズ開口部６６、及び光学ファインダ６８等が配置されている。また、同図（Ｂ）に示すように、デジタルカメラ６０の背面には、各種メニュー画面やスルー画を表示するためのＬＣＤ５１、光学ファインダ６８、及び操作部７０等が配置されている。操作部７０は、十字ボタン７２、メニュー／実行ボタン７４、ファンクションボタン７６等の各種の操作ボタンを含んでいる。
【００２５】
次に、デジタルカメラ６０の電気系の構成について説明する。図２には、デジタルカメラ６０の電気系の概略構成を示すブロック図を示した。
【００２６】
デジタルカメラ６０は、被写体からの撮像光が入力される光学系８０と、光学系８０の光軸後方に配置され当該光学系８０を介して被写体を撮像する撮像部２０と、画像処理や全体制御を行う主制御部３０と、を備えている。
【００２７】
光学系８０は、ズームレンズ１１、絞り機構１２、フォーカスレンズ１３等を備えている。ズームレンズ１１は図示しないズームモータによって、フォーカスレンズ１３は図示しないオートフォーカスモータによって光軸方向に移動可能である。絞り機構１２の絞りは、図示しないアイリスモータによって制御される。これらのモータは、モータドライバ１４によって制御される。
【００２８】
撮像部２０は、光学系８０からの撮像光に応じて被写体像の画像信号を生成するＣＣＤイメージセンサ２１と、ＣＣＤイメージセンサ２１から読み出された画像信号に含まれるノイズ成分を除去する相関二重サンプリング（ＣＤＳ：Correlated Double Sampling）処理を行うＣＤＳ回路２２と、ＣＤＳ回路２２により処理されたアナログ信号をデジタル信号に変換するデジタル／アナログ変換器（以下、Ａ／Ｄ変換器という）２３と、ＣＣＤイメージセンサ２１を駆動するためのタイミング信号を生成するタイミングジェネレータ（ＴＧ）２４と、を備えている。
【００２９】
主制御部３０は、バス３１を介して相互に接続された様々な回路を備えている。詳細には、主制御部３０は、Ａ／Ｄ変換器２３からの画像データをバス３１に供給する画像入力制御部３２と、入力された画像データに対して所定のデジタル信号処理を行う画像処理回路３３と、表示すべき画像を表す画像データを格納するためのＶＲＡＭ３４と、ＶＲＡＭ３４に格納された画像データに基づく画像をＬＣＤ５１に表示させる制御を行うＬＣＤ制御部３５と、を備えている。
【００３０】
さらに、主制御部３０は、フォーカスレンズ１３の焦点調整をするために用いるコントラスト値を検出するＡＦ検出回路３６と、画像データに基づいて最適な露出及びホワイトバランスを検出するＡＥ（Auto Exposure）検出回路３７と、各種プログラムや撮影画像の記録画素数等の各種パラメータが記憶されるＥＥＰＲＯＭ（Electrically Erasable Programmable Read Only Memory）３８と、ワークメモリとして用いられるＳＤＲＡＭ（Synchronous Dynamic Random Access Memory）３９と、画像データを圧縮・伸張する圧縮伸張回路４０と、記録メディア５２に対して各種情報を読み書きするメディア制御部４１と、ＥＥＰＲＯＭ３８から適宜情報を読み出して上記各部を制御するＣＰＵ４２と、を備えている。
【００３１】
ＡＦ検出回路３６は、例えばシャッターボタン６２の半押し時に撮像部２０から入力されＶＲＡＭ３４に記憶された画像データのコントラスト値をＡＦ評価値として検出する。なお、コントラスト値は、被写体に焦点があっている度合いを表している。このため、コントラスト値が最大になるときに合焦位置が得られる。
【００３２】
ＡＥ検出回路３７は、例えばシャッターボタン６２の半押し時の撮影画像の画像データに基づいて被写体の明るさを表す露出値（ＥＶ値）を検出する。ＥＶ値は、絞りやシャッター速度を求めるときの測光値として用いられる。
【００３３】
以上のような構成のデジタルカメラ６０では、シャッターボタン６２の半押し時にＣＣＤイメージセンサ２１から出力された被写体像を表すアナログ信号は、ＣＤＳ回路２２による処理が施され、Ａ／Ｄ変換器２３によりデジタル画像信号に変換された後、画像データとして、画像入力制御部３２から主制御部３０内に入力される。この入力された画像データは、バス３１を介してＳＤＲＡＭ３９に一旦記憶される。
【００３４】
主制御部３０では、ＳＤＲＡＭ３９に記憶された画像データに基づいて、ＡＦ検出回路３６がコントラスト値を演算し、ＡＥ検出回路３７がＡＥ演算を行う。ＣＰＵ４２は、これらの演算結果に基づいて、モータドライバ１４を介してフォーカスレンズ１３を合焦位置に移動させると共に、絞り機構１２及びＣＣＤイメージセンサ２１の適正な露光制御値（絞り値やシャッタスピード）に設定し、ＡＷＢ調整値を設定する。
【００３５】
そして、シャッターボタン６２が全押しされると、半押し時と同様にＣＣＤイメージセンサ２１から出力された被写体像を表すアナログ信号は、ＣＤＳ回路２２による処理が施され、Ａ／Ｄ変換器２３によりデジタル画像信号に変換された後、画像データとして、画像入力制御部３２から主制御部３０内に入力される。この入力された画像データは、バス３１を介してＳＤＲＡＭ３９に一旦記憶され、後述する画素加算モードに応じた画素加算処理が施される。そして、適宜圧縮伸張回路４０によって圧縮処理が施されて記録メディア５２に記録される。
【００３６】
なお、本実施の形態では、ＡＥ検出回路３７は、画像データに基づいて被写体の明るさであるＥＶ値や絞り値等を算出するが、これに限るものではない。例えば、周辺光量を検出する光センサ等を設け、当該光センサ出力に基づいて算出するようにしてもよい。
【００３７】
次に、本実施形態の作用として、ＣＰＵ４２で実行される制御について図３〜図５に示すフローチャートを参照して説明する。
【００３８】
まず、図３に示す画素加算モード設定処理について説明する。なお、図３に示す制御は、ユーザーがメニュー／実行ボタン７４を押下して図示しないメニュー画面をＬＣＤ５１に表示させ、そのメニューの中から「画素加算モード設定」を選択した場合に実行される。
【００３９】
ステップ１００では、図６に示すような画素加算モード設定画面８２をＬＣＤ５１に表示させる。画素加算モード設定画面８２では、後述するようにユーザーが設定する最低画素数を維持しつつ画素加算することにより画質を向上させる画質優先モードか、ユーザーが設定する最低画質レベルを維持しつつ画素数がなるべく多くなるように画素加算する画素数優先モードの何れかを選択することができる。なお、本実施形態では、画質とはＳ／Ｎレベルやダイナミックレンジをいい、一例として最低画質レベルを最低Ｓ／Ｎレベルとした場合について説明する。
【００４０】
ステップ１０２では、画質優先モードを選択する操作がなされたか否かが判断され、画質優先モードを選択する操作がなされた場合にはステップ１０４へ移行し、画質優先モードを選択する操作がなされていない場合にはステップ１０６へ移行する。
【００４１】
ステップ１０６では、画素数優先モードが選択されたか否かを判断し、画素数優先モードが選択された場合にはステップ１０８へ移行し、画素数優先モードが選択されていない場合にはステップ１０２へ戻る。
【００４２】
ステップ１０４では、最低画素数設定処理が実行される。具体的には、図７に示すような最低画素数設定画面８４をＬＣＤ５１に表示させる。そして、複数の画素数の中の何れかの画素数を最低画素数ａとしてユーザーに設定させる。なお、図７では、一例として３００万画素、６００万画素、１２００万画素の何れかを選択可能な場合について示した。ユーザーが最低画素数ａを設定すると、画素加算モードが画質優先モードである旨を示す情報及びユーザーが設定した最低画素数ａの情報をＥＥＰＲＯＭ３８に記憶させる。
【００４３】
一方、ステップ１０８では、最低Ｓ／Ｎレベル設定処理が実行される。具体的には、図８に示すような最低Ｓ／Ｎレベル設定画面８６をＬＣＤ５１に表示させる。そして、複数のＳ／Ｎレベルの中の何れかのＳ／Ｎレベルを最低Ｓ／Ｎレベルｂとしてユーザーに設定させる。なお、図８では、一例として３０ｄＢ、４０ｄＢ、５０ｄＢの何れかを選択可能な場合について示した。ユーザーが最低Ｓ／Ｎレベルｂを設定すると、画素加算モードが画素数優先モードである旨を示す情報及びユーザーが設定した最低Ｓ／Ｎレベルｂの情報をＥＥＰＲＯＭ３８に記憶させる。
【００４４】
次に、画質優先モードが選択されている場合における画素加算処理について図４に示すフローチャートを参照して説明する。なお、この処理は、画質優先モードが選択されている状態においてシャッターボタン６２が押下（全押し）されて撮影処理が実行され、ユーザーが設定している撮影画像の記録画素数Ｘ０の画像データがＳＤＲＡＭ３９に一次記憶された場合に実行される。
【００４５】
また、本実施形態では、画素加算数の種類は一例として０、２、４の３種類、すなわち画素加算なし、２画素加算、４画素加算の３種類の場合について説明するが、画素加算数の種類はこれに限られるものではない。
【００４６】
まず、ステップ２００では、ユーザーが設定している撮影画像の記録画素数Ｘ０と最低画素数ａとをＥＥＰＲＯＭ３８から読み出し、記録画素数Ｘ０が最低画素数ａより多いか否かを判断する。
【００４７】
そして、記録画素数Ｘ０が最低画素数ａより多い場合には、ステップ２０２へ移行し、記録画素数Ｘ０が最低画素数ａ以下の場合には、ステップ２１４へ移行する。
【００４８】
ステップ２１４では、記録画素数Ｘ０が最低画素数ａと同じであるか否かを判断し、同じである場合には画素加算を行わずにステップ２１８へ移行し、記録画素数Ｘ０が最低画素数ａと同じでない場合、すなわち記録画素数Ｘ０が最低画素数ａ未満である場合にはステップ２１６へ移行する。
【００４９】
ステップ２１６では、記録画素数Ｘ０が最低画素数ａ未満である旨を示す警告メッセージをＬＣＤ５１に表示させた後、画素加算は行わずにステップ２１８へ移行する。
【００５０】
一方、ステップ２０２では、隣接する４画素を画素加算して１画素とした場合の加算後画素数Ｘ１（＝Ｘ０／４）を演算する。
【００５１】
ステップ２０４では、加算後画素数Ｘ１が最低画素数ａ以上であるか否かが判断される。そして、加算後画素数Ｘ１が最低画素数ａ以上である場合には、ステップ２０６へ移行し、加算後画素数Ｘ１が最低画素数ａ未満である場合には、ステップ２０８へ移行する。
【００５２】
ステップ２０６では、ユーザーが設定した記録画素数Ｘ０の画像データに対して４画素加算処理を行う。すなわち、縦横に隣接する４画素の画素値を加算して１画素とし、記録画素数がＸ０／４の画像データを生成する。
【００５３】
一方、ステップ２０８では、隣接する２画素を画素加算して１画素とした場合の加算後画素数Ｘ１（＝Ｘ０／２）を演算する。
【００５４】
ステップ２１０では、加算後画素数Ｘ１が最低画素数ａ以上であるか否かが判断される。そして、加算後画素数Ｘ１が最低画素数ａ以上である場合には、ステップ２１２へ移行し、加算後画素数Ｘ１が最低画素数ａ未満である場合には、画素加算せずにステップ２１８へ移行する。
【００５５】
ステップ２１２では、ユーザーが設定した記録画素数Ｘ０の画像データに対して２画素加算処理を行う。すなわち、縦又は横に隣接する２画素の画素値を加算して１画素とし、記録画素数がＸ０／２の画像データを生成する。
【００５６】
ステップ２１８では、画像処理回路３３に画像データに対する所定の画像処理を実行させる。この画像処理は、例えば画素加算数に応じたゲイン調整処理等を含む。
【００５７】
そして、ステップ２２０では、画像処理後の画像データを記録メディア５２に記録するようメディア制御部４１に指示する。
【００５８】
このように、画質優先モードにおいては、ユーザーが設定した最低画素数を維持できる範囲でなるべく大きい画素数で画素加算を行うことにより、ユーザーが期待する画質や解像度に近いバランスの良い画像を得ることができる。
【００５９】
次に、画素数優先モードが選択されている場合における画素加算処理について図５に示すフローチャートを参照して説明する。なお、この処理は、画素数優先モードが選択されている状態においてシャッターボタン６２が押下（全押し）されて撮影処理が実行され、ユーザーが設定している撮影画像の記録画素数Ｘ０の画像データがＳＤＲＡＭ３９に記憶された場合に実行される。
【００６０】
まず、ステップ３００では、記録画素数Ｘ０の画像データの受光量を演算する。なお、本実施形態では、一例として、受光量は１画素当たりの平均受光量とし、全画素の画素値の積算値を画素数で除算することにより求める。
【００６１】
ステップ３０２では、求めた受光量に基づいて予想Ｓ／Ｎレベルを求める。具体的には、例えば図９に示すような受光量（１画素当たりの平均受光量）と予想Ｓ／Ｎレベルとの対応関係を表わす情報をＥＥＰＲＯＭ３８に予め記憶しておき、この対応関係を表わす情報に基づいてステップ３００で求めた受光量に対応する予想Ｓ／ＮレベルＹ０を求める。図９に示す対応関係は、例えば数式でもよいし、ルックアップテーブルデータでもよい。
【００６２】
ステップ３０４では、予想Ｓ／ＮレベルＹ０が、ユーザーが設定した最低Ｓ／Ｎレベルｂより低いか否かを判断する。そして、予想Ｓ／ＮレベルＹ０が最低Ｓ／Ｎレベルｂより低い場合にはステップ３０４へ移行し、予想Ｓ／ＮレベルＹ０が最低Ｓ／Ｎレベルｂ以上である場合には、ステップ３２０へ移行する。
【００６３】
ステップ３０６では、ユーザーが設定した記録画素数Ｘ０の画像データに対して２画素加算処理を行う。すなわち、縦又は横に隣接する２画素の画素値を加算して１画素とし、記録画素数がＸ０／２の画像データを生成する。
【００６４】
ステップ３０８では、２画素加算後の画像データの予想Ｓ／Ｎレベルをステップ３０２と同様の方法により求める。すなわち、全画素の画素値の積算値を２画素加算後の画素数で除算することにより１画素当たりの平均受光量を求め、この受光量に対応する予想Ｓ／ＮレベルＹ０を図９に示す対応関係に基づいて求める。
【００６５】
ステップ３１０では、ステップ３０４と同様に、予想Ｓ／ＮレベルＹ０が、ユーザーが設定した最低Ｓ／Ｎレベルｂより低いか否かを判断する。そして、予想Ｓ／ＮレベルＹ０が最低Ｓ／Ｎレベルｂより低い場合にはステップ３１２へ移行し、予想Ｓ／ＮレベルＹ０が最低Ｓ／Ｎレベルｂ以上である場合には、ステップ３２０へ移行する。
【００６６】
ステップ３１２では、ユーザーが設定した記録画素数Ｘ０の画像データに対して４画素加算処理を行う。すなわち、縦横に隣接する４画素の画素値を加算して１画素とし、記録画素数がＸ０／４の画像データを生成する。
【００６７】
ステップ３１４では、４画素加算後の画像データの予想Ｓ／Ｎレベルをステップ３０２と同様の方法により求める。すなわち、全画素の画素値の積算値を４画素加算後の画素数で除算することにより１画素当たりの平均受光量を求め、この受光量に対応する予想Ｓ／ＮレベルＹ０を図９に示す対応関係に基づいて求める。
【００６８】
ステップ３１６では、ステップ３０４と同様に、予想Ｓ／ＮレベルＹ０が、ユーザーが設定した最低Ｓ／Ｎレベルｂより低いか否かを判断する。そして、予想Ｓ／ＮレベルＹ０が最低Ｓ／Ｎレベルｂより低い場合にはステップ３１８へ移行し、予想Ｓ／ＮレベルＹ０が最低Ｓ／Ｎレベルｂ以上である場合には、ステップ３２０へ移行する。
【００６９】
ステップ３１８では、４画素加算しても、その予想Ｓ／ＮレベルＹ０が最低Ｓ／Ｎレベルｂより低い場合であるから、その旨を示す警告メッセージをＬＣＤ５１に表示させる。
【００７０】
ステップ３２０では、画像処理回路３３に画像データに対する所定の画像処理を実行させる。この画像処理は、例えば画素加算数に応じたゲイン調整処理等を含む。
【００７１】
そして、ステップ３２２では、画像処理後の画像データを記録メディア５２に記録するようメディア制御部４１に指示する。
【００７２】
このように、画素数優先モードにおいては、ユーザーが設定した最低Ｓ／Ｎレベルを維持できる範囲でなるべく画素加算を行わないようにすることにより、ユーザーが期待する画質や解像度に近いバランスの良い画像を得ることができる。
【００７３】
（第２実施形態）
【００７４】
次に、本発明の第２実施形態について説明する。なお、第１実施形態と同一部分には同一符号を付し、その詳細な説明は省略する。
【００７５】
第２実施形態では、デジタルカメラの構成は第１実施形態と同様であるが、所謂ＩＳＯオート機能を備えている場合について説明する。ＩＳＯオート機能では、撮影画像が適正露出ではなく暗すぎる場合に、ＩＳＯ感度を自動的に高くすることで撮影画像を明るくする、すなわちゲイン調整する機能である。
【００７６】
本実施形態では、デジタルカメラ６０がＩＳＯオート機能を備えている場合における画質優先モードにおける画素加算処理及び画素数優先モードにおける画素加算処理について説明する。
【００７７】
まず、画質優先モードにおける画素加算処理について、図１０に示すフローチャートを参照して説明する。
【００７８】
ステップ４００では、隣接する４画素を画素加算して１画素とした場合の加算後画素数Ｘ１（＝Ｘ０／４）を演算する。
【００７９】
ステップ４０２では、加算後画素数Ｘ１が最低画素数ａ以上であるか否かが判断される。そして、加算後画素数Ｘ１が最低画素数ａ以上である場合には、ステップ４０４へ移行し、加算後画素数Ｘ１が最低画素数ａ未満である場合には、ステップ４０８へ移行する。
【００８０】
ステップ４０４では、４画素加算用のＩＳＯオート制御を行う。すなわち、４画素加算する場合に適したゲイン調整を行う。
【００８１】
ステップ４０６では、ユーザーが設定した記録画素数Ｘ０の画像データに対して４画素加算処理を行う。すなわち、縦横に隣接する４画素の画素値を加算して１画素とし、記録画素数がＸ０／４の画像データを生成する。
【００８２】
一方、ステップ４０８では、隣接する２画素を画素加算して１画素とした場合の加算後画素数Ｘ１（＝Ｘ０／２）を演算する。
【００８３】
ステップ４１０では、加算後画素数Ｘ１が最低画素数ａ以上であるか否かが判断される。そして、加算後画素数Ｘ１が最低画素数ａ以上である場合には、ステップ４１２へ移行し、加算後画素数Ｘ１が最低画素数ａ未満である場合には、ステップ４１６へ移行する。
【００８４】
ステップ４１２では、２画素加算用のＩＳＯオート制御を行う。すなわち、２画素加算する場合に適したゲイン調整を行う。
【００８５】
ステップ４１４では、ユーザーが設定した記録画素数Ｘ０の画像データに対して２画素加算処理を行う。すなわち、縦又は横に隣接する２画素の画素値を加算して１画素とし、記録画素数がＸ０／２の画像データを生成する。
【００８６】
一方、ステップ４１６では、画素加算無し用のＩＳＯオート制御を行う。すなわち、画素加算しない場合に適したゲイン調整を行ってステップ４０８へ移行する。
【００８７】
ステップ４１８では、画像処理回路３３に画像データに対する所定の画像処理を実行させる。この画像処理は、例えば画素加算数に応じたゲイン調整処理等を含む。
【００８８】
そして、ステップ４２０では、画像処理後の画像データを記録メディア５２に記録するようメディア制御部４１に指示する。
【００８９】
このように、ＩＳＯオート機能を備えた場合における画質優先モードにおいては、ユーザーが設定した最低画素数を維持できる範囲でなるべく大きい画素数で画素加算を行うと共に、画素加算数に適したＩＳＯオート制御を行うことにより、ユーザーが期待する画質や解像度に近いバランスの良い画像を得ることができる。
【００９０】
次に、画素数優先モードにおける画素加算処理について、図１１に示すフローチャートを参照して説明する。
【００９１】
まず、ステップ５００では、ＩＳＯオート制御を行う。すなわち、撮影画像が適正露出ではない場合に、ＩＳＯ感度を自動的かつ段階的に高くし、適正露出となるようにゲイン調整する。
【００９２】
ステップ５０２では、ＩＳＯオート制御の結果、ＩＳＯ感度が予め定めた最高感度に達したか否かを判断する。そして、最高感度に達した場合、すなわち最高感度になるまでゲイン調整しても適正露出になっていない可能性がある場合には、ステップ５０４へ移行し、最高感度に達していない場合、すなわち最高感度になるまでゲイン調整しなくても適正露出になっている場合には、ステップ５１６へ移行する。
【００９３】
ステップ５０４では、ＩＳＯオート制御後の撮影画像が適正露出であるか否かが判断される。具体的には、ＩＳＯオート制御後の撮影画像の露出値（ＥＶ値）を画像データに基づいて算出し、この露出値が予め定めた適正露出の範囲内であるか否かを判断する。
【００９４】
そして、適正露出である場合にはステップ５１６へ移行し、適正露出でない場合には、ステップ５０６へ移行する。
【００９５】
ステップ５０６では、ユーザーが設定した記録画素数Ｘ０の画像データに対して２画素加算処理を行う。すなわち、縦又は横に隣接する２画素の画素値を加算して１画素とし、記録画素数がＸ０／２の画像データを生成する。
【００９６】
ステップ５０８では、ステップ５０４と同様に２画素加算後の撮影画像が適正露出であるか否かを判断する。そして、適正露出である場合にはステップ５１６へ移行し、適正露出でない場合には、ステップ５１０へ移行する。
【００９７】
ステップ５１０では、ユーザーが設定した記録画素数Ｘ０の画像データに対して４画素加算処理を行う。すなわち、縦横に隣接する４画素の画素値を加算して１画素とし、記録画素数がＸ０／４の画像データを生成する。
【００９８】
ステップ５１２では、ステップ５０４と同様に２画素加算後の撮影画像が適正露出であるか否かを判断する。そして、適正露出である場合にはステップ５１６へ移行し、適正露出でない場合には、ステップ５１４へ移行する。
【００９９】
ステップ５１４では、４画素加算しても適正露出にならないため、その旨を示す警告メッセージをＬＣＤ５１に表示させる。
【０１００】
ステップ５１６では、画像処理回路３３に画像データに対する所定の画像処理を実行させる。この画像処理は、例えば画素加算数に応じたゲイン調整処理等を含む。
【０１０１】
そして、ステップ５１８では、画像処理後の画像データを記録メディア５２に記録するようメディア制御部４１に指示する。
【０１０２】
このように、ＩＳＯオート機能を備えた場合における画素数優先モードにおいては、ＩＳＯオート機能によりＩＳＯ感度が最高感度に達しているにもかかわらず適正露出とならない場合でも、なるべく画素数が多くなるように画素加算することにより適正露出を得ることができる。これにより、ユーザーが期待する画質や解像度に近いバランスの良い画像を得ることができる。
【０１０３】
（第３実施形態）
【０１０４】
次に、本発明の第３実施形態について説明する。なお、上記各実施形態と同一部分には同一符号を付し、その詳細な説明は省略する。
【０１０５】
第３実施形態では、デジタルカメラの構成は第１実施形態と同様であるが、所謂オートブラケット撮影を行う場合について説明する。本実施形態では、撮影モードとして、ＬＣＤ５１に表示される図示しないメニュー画面からオートブラケット撮影モードを選択可能である。
【０１０６】
次に、本実施形態の作用として、オートブラケット撮影モードが選択された場合にＣＰＵ４２において実行される撮影画像の処理について、図１２に示すフローチャートを参照して説明する。なお、図１２に示す処理は、シャッターボタン６２が全押しされて撮影処理が実行され、画像データがＳＤＲＡＭ３９に記憶されると実行される。
【０１０７】
ステップ６００では、ユーザーが設定した記録画素数Ｘ０の画像データに対して画素加算無し用の画像処理、例えばゲイン調整処理等が画像データに対して施されるよう画像処理回路３３に指示する。
【０１０８】
ステップ６０２では、画像処理後の画像データを記録メディア５２に記録するようメディア制御部４１に指示する。
【０１０９】
ステップ６０４では、ユーザーが設定した記録画素数Ｘ０の画像データに対して２画素加算処理を行う。すなわち、縦又は横に隣接する２画素の画素値を加算して１画素とし、記録画素数がＸ０／２の画像データを生成する。
【０１１０】
ステップ６０６では、２画素加算用の画像処理、例えばゲイン調整処理等が画像データに対して施されるよう画像処理回路３３に指示する。
【０１１１】
ステップ６０８では、画像処理後の画像データを記録メディア５２に記録するようメディア制御部４１に指示する。
【０１１２】
ステップ６１０では、ユーザーが設定した記録画素数Ｘ０の画像データに対して４画素加算処理を行う。すなわち、縦又は横に隣接する４画素の画素値を加算して１画素とし、記録画素数がＸ０／４の画像データを生成する。
【０１１３】
ステップ６１２では、４画素加算用の画像処理、例えばゲイン調整処理等が画像データに対して施されるよう画像処理回路３３に指示する。
【０１１４】
ステップ６１４では、画像処理後の画像データを記録メディア５２に記録するようメディア制御部４１に指示する。
【０１１５】
このように、本実施形態では、一つの画像データから画素加算なし、２画素加算、４画素加算した場合の画像データを生成するので、一度の撮影でノイズや解像度の異なる画像を得ることができ、ユーザーが好みの画像を選択することが可能となる。
【０１１６】
なお、上記各実施形態では、画素加算する場合、ユーザーが設定した記録画素数Ｘ０の画像データに対して２画素加算や４画素加算する場合について説明したが、これに限らず、ＣＣＤ２１の有効画素数の画像データ（ＲＡＷ画像データ）に対して画素加算処理するようにしてもよい。
【０１１７】
また、上記各実施形態では、撮影画像の画像データをデジタル的に画素加算する場合について説明したが、従来公知のように、ＣＣＤ２１の転送駆動を切り替えてＣＣＤ２１の転送路内でアナログ的に画素加算する機能を備えた構成としてもよい。この場合、アナログ的に画素加算する画素加算モード（第１の画素加算モード）とデジタル的に画素加算する画素加算モード（第２の画素加算モード）との何れかを、例えばＬＣＤ５１に表示された設定画面から選択可能としてもよい。これにより、ユーザーの好みに応じた画素加算モードにより画素加算することができ、ユーザーの利便性を向上させることができる。
【図面の簡単な説明】
【０１１８】
【図１】（Ａ）はデジタルカメラの正面図、（Ｂ）はデジタルカメラの背面図である。
【図２】デジタルカメラのブロック図である。
【図３】画素加算モード設定処理のフローチャートである。
【図４】第１実施形態に係る画質優先モードにおける画素加算処理のフローチャートである。
【図５】第１実施形態に係る画素数優先モードにおける画素加算処理のフローチャートである。
【図６】画素加算モード設定画面の一例を示す図である。
【図７】最低画素数設定画面の一例を示す図である。
【図８】最低Ｓ／Ｎレベル設定画面の一例を示す図である。
【図９】受光量と予想Ｓ／Ｎレベルとの対応関係を示す図である。
【図１０】第２実施形態に係る画質優先モードにおける画素加算処理のフローチャートである。
【図１１】第２実施形態に係る画素数優先モードにおける画素加算処理のフローチャートである。
【図１２】第３実施形態に係るオートブラケット撮影モードにおける画素加算処理のフローチャートである。
【符号の説明】
【０１１９】
２０  撮像部
２１  イメージセンサ（撮影素子）
２４  ＴＧ（駆動手段）
３０  主制御部
４２  ＣＰＵ（設定手段、画素加算手段）
６０      デジタルカメラ
６２      シャッターボタン
６４      ストロボ発光部
６６      レンズ開口部
６８      光学ファインダ
７０      操作部（選択手段）
８０      光学系
８２      画素加算モード設定画面
８４      最低画素数設定画面
８６      レベル設定画面
【図１】
2009118247.tif 000003
【図２】
2009118247.tif 000004
【図３】
2009118247.tif 000005
【図４】
2009118247.tif 000006
【図５】
2009118247.tif 000007
【図６】
2009118247.tif 000008
【図７】
2009118247.tif 000009
【図８】
2009118247.tif 000010
【図９】
2009118247.tif 000011
【図１０】
2009118247.tif 000012
【図１１】
2009118247.tif 000013
【図１２】
2009118247.tif 000014